(57)【要約】【課題】構造を簡略化して、これにより、コストの低下を図る。【解決手段】撮像装置１００は、被写体の光学像を結像する撮像レンズ群１と、撮像レンズ群１により結像された光学像を電気信号に変換する撮像素子３と、撮像素子３が取り付けられる撮像素子取付部６１ａと撮像レンズ１ａを光軸方向Ｘに移動させるレンズ駆動部４が取り付けられる駆動部取付部６１ｃとを有するように樹脂成形されてなる筐体本体部６とを備えている。【選択図】図１
2006303955.tif 000002
【特許請求の範囲】
【請求項１】
被写体の光学像を結像する撮像レンズと、
前記撮像レンズにより結像された光学像を電気信号に変換する撮像素子と、
前記撮像素子が取り付けられる撮像素子取付部と前記撮像レンズを光軸方向に移動させるレンズ駆動部が取り付けられる駆動部取付部とを有するように樹脂成形されてなる筐体と、
を備えることを特徴とする撮像装置。
【請求項２】
被写体の光学像を結像する撮像レンズと、
前記撮像レンズにより結像された光学像を電気信号に変換する撮像素子と、
前記撮像素子が取り付けられる撮像素子取付部と前記撮像レンズの光軸方向の軸心周りの回動を規制する回動規制部とを有するように樹脂成形されてなる筐体と、
を備えることを特徴とする撮像装置。
【請求項３】
被写体の光学像を結像する光軸方向に移動自在な撮像レンズと、
前記撮像レンズにより結像された光学像を電気信号に変換する撮像素子と、
前記撮像素子が取り付けられる撮像素子取付部と前記撮像レンズの光軸方向の位置を検知する位置検知部材が取り付けられる位置検知部材取付部とを有するように樹脂成形されてなる筐体と、
を備えることを特徴とする撮像装置。
【請求項４】
前記撮像素子は、前記撮像素子取付部に接着剤により接着され、
前記撮像素子取付部には、前記接着剤が貯留される接着剤貯留部が設けられていることを特徴とする請求項１〜３の何れか一項に記載の撮像装置。
【請求項５】
外部の接続端子と電気的に接続される外部接続用端子を備え、
前記外部接続用端子と前記筐体とが一体となって形成されていることを特徴とする請求項１〜４の何れか一項に記載の撮像装置。
【請求項６】
請求項１〜５の何れか一項に記載の撮像装置を、機器本体内に備えることを特徴とする電子機器。
【請求項７】
前記筐体の外面の一部に係合して当該筐体を着脱自在に保持する筐体保持部を備えることを特徴とする請求項６に記載の電子機器。
【請求項８】
前記筐体保持部は、前記撮像装置と電気的に接続するための撮像装置接続用端子を備え、
前記撮像装置は、前記筐体の外面から露出するように設けられ、前記撮像装置接続用端子と電気的に接続するための外部接続用端子を備え、
前記筐体保持部に前記筐体が保持されることにより、前記撮像装置接続用端子と前記外部接続用端子とが電気的に接続されるように構成されていることを特徴とする請求項７に記載の電子機器。
【発明の詳細な説明】
【技術分野】
【０００１】
本発明は、携帯電話機やモバイルコンピュータなどの電子機器に搭載可能な撮像装置及びこれを搭載した電子機器に関する。
【背景技術】
【０００２】
従来より、携帯電話機やモバイルコンピュータ等の電子機器に搭載可能な小型で高性能の撮像装置が知られており、かかる撮像装置としては、例えば、撮像レンズ、この撮像レンズにより結像された光学像を電気信号に変換する撮像素子などを備えたものが開発されている。
また、近年では、撮像素子を衝撃などから保護するものとして、樹脂成形されてなる中空パッケージが提案されている（例えば、特許文献１参照。）。
【０００３】
ところで、従来の撮像装置６００としては、例えば、図１３に示すように、被写体側（図１３における上側）の面に開口部６０８ａを有する筐体カバー部材６０８が取り付けられた筐体６０１内に、開口部６０８ａを介して光学面を露出させるように撮像レンズ群６０２が収納され、また、この撮像レンズ群６０２よりも被写体と反対側（図１３における下側）に位置するように、筐体６０１の下部に撮像素子６０３を搭載する基板６０４が取り付けられている。
さらに、撮像装置６００は、撮像レンズ群６０２を保持するレンズ保持部材６０５を光軸方向に移動させるレンズ駆動部６０６を備え、このレンズ駆動部６０６は、駆動部取付部材６０６ａを介して筐体６０１の下側に取り付けられている。また、筐体６０１には、レンズ保持部材６０５の光軸方向Ｘに対する移動を案内するとともに当該レンズ保持部材６０５の光軸方向Ｘの軸心周りの回動を規制するガイド軸６０７が取り付けられている。
【特許文献１】特開２００５−５３５３号公報
【発明の開示】
【発明が解決しようとする課題】
【０００４】
しかしながら、上記従来の撮像装置のように、筐体に駆動部取付部材を介してレンズ駆動部を取り付けたり、ガイド軸を取り付ける構成とすると、撮像装置の筐体の構造が複雑となり、また、当該撮像装置を構成する部品の点数が多くなるために撮像装置のコスト上昇を招いてしまうといった問題がある。さらに、撮像装置の耐衝撃性を十分に確保するために当該撮像装置を精度良く頑丈に製造することで構成部品どうしの組み付け強度の向上を図るようにすると、撮像装置のコスト上昇を招いてしまうといった問題もある。
また、撮像素子は基板を介して取り付けられるため、当該撮像素子の撮像レンズに対する位置決めを精度良く行うことは容易ではない。ここで、撮像素子の位置決めの精度が低下すると、光軸ずれ、画像の傾き、片ボケなどが発生するといった問題もある。
【０００５】
そこで、本発明の課題は、構造を簡略化することができ、これにより、コストの低下を図ることができる撮像装置及びこれを備える電子機器を提供することである。
【課題を解決するための手段】
【０００６】
上記課題を解決するため、請求項１に記載の発明の撮像装置は、
被写体の光学像を結像する撮像レンズと、
前記撮像レンズにより結像された光学像を電気信号に変換する撮像素子と、
前記撮像素子が取り付けられる撮像素子取付部と前記撮像レンズを光軸方向に移動させるレンズ駆動部が取り付けられる駆動部取付部とを有するように樹脂成形されてなる筐体と、
を備えることを特徴としている。
【０００７】
請求項２に記載の発明の撮像装置は、
被写体の光学像を結像する撮像レンズと、
前記撮像レンズにより結像された光学像を電気信号に変換する撮像素子と、
前記撮像素子が取り付けられる撮像素子取付部と前記撮像レンズの光軸方向の軸心周りの回動を規制する回動規制部とを有するように樹脂成形されてなる筐体と、
を備えることを特徴としている。
【０００８】
請求項３に記載の発明の撮像装置は、
被写体の光学像を結像する光軸方向に移動自在な撮像レンズと、
前記撮像レンズにより結像された光学像を電気信号に変換する撮像素子と、
前記撮像素子が取り付けられる撮像素子取付部と前記撮像レンズの光軸方向の位置を検知する位置検知部材が取り付けられる位置検知部材取付部とを有するように樹脂成形されてなる筐体と、
を備えることを特徴としている。
【０００９】
請求項４に記載の発明は、請求項１〜３の何れか一項に記載の撮像装置において、
前記撮像素子は、前記撮像素子取付部に接着剤により接着され、
前記撮像素子取付部には、前記接着剤が貯留される接着剤貯留部が設けられていることを特徴としている。
【００１０】
請求項５に記載の発明は、請求項１〜４の何れか一項に記載の撮像装置において、
外部の接続端子と電気的に接続される外部接続用端子を備え、
前記外部接続用端子と前記筐体とが一体となって形成されていることを特徴としている。
【００１１】
請求項６に記載の発明の電子機器は、
請求項１〜５の何れか一項に記載の撮像装置を、機器本体内に備えることを特徴としている。
【００１２】
請求項７に記載の発明は、請求項６に記載の電子機器において、
前記筐体の外面の一部に係合して当該筐体を着脱自在に保持する筐体保持部を備えることを特徴としている。
【００１３】
請求項８に記載の発明は、請求項７に記載の電子機器において、
前記筐体保持部は、前記撮像装置と電気的に接続するための撮像装置接続用端子を備え、
前記撮像装置は、前記筐体の外面から露出するように設けられ、前記撮像装置接続用端子と電気的に接続するための外部接続用端子を備え、
前記筐体保持部に前記筐体が保持されることにより、前記撮像装置接続用端子と前記外部接続用端子とが電気的に接続されるように構成されていることを特徴としている。
【発明の効果】
【００１４】
請求項１に記載の発明によれば、樹脂成形されてなる筐体に設けられた駆動部取付部にレンズ駆動部を取り付けることができることとなり、筐体に駆動部取付部材を介してレンズ駆動部を取り付ける場合に比べて、筐体の構造を簡略化することができるとともに撮像装置を構成する部品点数を削減することができる。これにより、撮像装置のコストの低下を図ることができる。
また、構成部品点数の減少により耐衝撃性の確保を容易に行うことができることとなり、耐衝撃性を十分に確保する上で部品どうしの組み付け強度の向上を図ることによるコストの上昇を招くといったことがなくなる。
さらに、筐体に設けられた撮像素子取付部に撮像素子を取り付けることができることとなり、撮像素子の取付精度を向上させることができる。また、撮像レンズの光軸方向の移動を案内するガイドと撮像素子との位置決めが正確となって、光軸ずれ、片ボケなどを抑制することができる。
【００１５】
請求項２に記載の発明によれば、筐体に回動規制部材を別体として取り付ける場合に比べて、筐体の構造を簡略化することができるとともに撮像装置を構成する部品点数を削減することができる。これにより、撮像装置のコストの低下を図ることができる。
また、構成部品点数の減少により耐衝撃性の確保を容易に行うことができることとなり、耐衝撃性を十分に確保する上で部品どうしの組み付け強度の向上を図ることによるコストの上昇を招くといったことがなくなる。
さらに、筐体に設けられた撮像素子取付部に撮像素子を取り付けることができることとなり、撮像素子の取付精度を向上させて当該撮像素子の位置決めが正確となって、光軸ずれを抑制することができる。
【００１６】
請求項３に記載の発明によれば、樹脂成形されてなる筐体に設けられた撮像素子取付部に撮像素子を精度良く取り付けることができることとなり、当該撮像素子の撮像レンズに対する位置決めを高精度で容易に行うことができる。また、位置検知部材を位置検知部材取付部に取り付けることにより撮像素子と位置検知部材との位置関係を高精度なものとすることができる。従って、位置検知部材を用いて撮像レンズを光軸方向に適正に位置決めし、かかる状態にて当該撮像レンズにより光学像を撮像素子の撮像領域に適正に結像することができる。
また、筐体の構造を簡略化することができることとなって、撮像装置のコストの低下を図ることができる。
【００１７】
請求項４に記載の発明によれば、請求項１〜３に記載の発明と同様の効果が得られるのは無論のこと、特に、撮像素子取付部に撮像素子を接着する際に不必要な接着剤が接着剤貯留部に貯留されることとなり、撮像素子が傾いたり撮像素子取付部の表面から浮いた状態となって当該撮像素子取付部に搭載されることを防止することができる。
【００１８】
請求項５に記載の発明によれば、請求項１〜４に記載の発明と同様の効果が得られるのは無論のこと、特に、筐体と外部接続用端子とを別部材で設ける場合に比べて撮像装置の製造工程を簡略化することができ、当該撮像装置のコストをより低下することができる。
【００１９】
請求項６に記載の発明によれば、請求項１〜５に記載の撮像装置を、機器本体内に備えた電子機器であっても、請求項１〜５に記載の発明と同様に、撮像装置の筐体の構造を簡略化することができることとなって、当該撮像装置のコストの低下を図ることができる。この結果、撮像装置を搭載する電子機器のコストの低下を図ることができる。
【００２０】
請求項７に記載の発明によれば、請求項６に記載の発明と同様の効果が得られるのは無論のこと、特に、電子機器に備わる筐体保持部に筐体を着脱自在に保持させることができることとなって、撮像装置の取扱性を向上させることができる。
【００２１】
請求項８に記載の発明によれば、請求項７に記載の発明と同様の効果が得られるのは無論のこと、特に、筐体保持部に筐体を保持させるだけで、撮像装置接続用端子と外部接続用端子とを電気的に接続することができることとなり、撮像装置と機器本体との電気的接続を容易に行うことができる。
【発明を実施するための最良の形態】
【００２２】
以下に、本発明について、図面を用いて具体的な態様を説明する。ただし、発明の範囲は、図示例に限定されない。
【００２３】
［実施形態１］
図１は、本発明を適用した実施形態１の撮像装置１００を示す断面図である。
実施形態１の撮像装置１００は、図１に示すように、撮像レンズ群１を保持するレンズ保持部材２と、撮像レンズ群１により結像された被写体の光学像を電気信号に変換する撮像素子３と、レンズ保持部材２を光軸方向Ｘに案内しながら移動させるレンズ駆動部４と、レンズ保持部材２の光軸方向Ｘの軸心周りの回動を規制するガイド軸５と、撮像素子３、レンズ駆動部４及びガイド軸５が取り付けられた筐体本体部６と、筐体本体部６のレンズ駆動部４が取り付けられた端部（図１における右端部）を被写体側から被覆する第一の筐体カバー部材７１と、筐体本体部６のガイド軸５が取り付けられた端部（図１における左端部）を被写体側から被覆する第二の筐体カバー部材７２とを備えている。
【００２４】
筐体本体部６は、例えば、筐体本体部成形用型（図示略）に所定の樹脂が流入されて硬化されることにより成形されるものであり、具体的には、底面部６１と、この底面部６１の端部から当該底面部６１に対して略垂直に起立して形成された起立面部６２とが一体となって形成されている。
【００２５】
底面部６１の表面（被写体側の面）の略中央部に、撮像素子３が取り付けられる撮像素子取付部６１ａが設けられ、撮像素子取付部６１ａの周囲に、当該撮像素子取付部６１ａに対してほぼ等しい高さに形成された撮像素子カバー部材取付部６１ｂが設けられ、撮像素子カバー部材取付部６１ｂよりも外側であって図１における右側に、表面が光軸方向Ｘに対して略直交方向に平面状に形成された駆動部取付部６１ｃが設けられ、また、撮像素子カバー部材取付部６１ｂよりも図１における左側に、ガイド軸取付部６１ｄが設けられている。
【００２６】
撮像素子取付部６１ａは、例えば、その表面が凹凸状に形成され、当該撮像素子取付部６１ａに所定の接着剤により撮像素子３が接着される際に、略等しい高さで並設された複数の凸部にて撮像素子３を支持するとともに、当該撮像素子取付部６１ａに撮像素子３を接着する際に不必要な接着剤が接着剤貯留部としての凹部ａ１に貯留されるようになっている。
即ち、撮像素子取付部６１ａの凸部の表面に撮像素子３の裏面を接着剤により接着する際に、接着に不必要な余分の接着剤が凸部と撮像素子３の間から凹部ａ１に流出することとなり、これによって、凹部ａ１に接着剤が貯留されることとなる。従って、撮像素子３が傾いたり撮像素子取付部６１ａの表面から浮いた状態となって当該撮像素子取付部６１ａに搭載されることを防止することができる。
【００２７】
起立面部６２は、その外面の一部が当該起立面部６２の表面から内側に切り欠かれることで切欠部６２ａが形成されている。そして、切欠部６２ａに筐体保持部１０ｄ（後述）の付勢部材Ｅ１が係合自在となっており、これにより、当該撮像装置１００が携帯電話機Ｔ等の電子機器に着脱自在に保持されるようになっている（詳細後述）。
【００２８】
また、筐体本体部６は、撮像素子３とワイヤ等の接続線（図示略）を介して接続されたリードフレーム（図示略）、このリードフレームと接続されて外部の接続端子（図３参照）と電気的に接続される圧電素子用接続端子４ｃ（後述）などの外部接続用端子８等がインサート成形されることで一体となって形成されている。
より具体的には、筐体本体部６の底面部６１の裏面側（被写体と反対側）から外部接続用端子８が露出されるように、当該外部接続用端子８が底面部６１の裏面と略面一となって配設されている。
【００２９】
なお、筐体本体部６が形成される樹脂としては、例えば、熱硬化性エポキシ樹脂、常温硬化性エポキシ樹脂等を適用可能であり、具体的には、主剤として、ビスフェノール（Ａ・Ｓ・Ｆ）型、フェノールノボラック型等を用いることができ、硬化剤として、アミン系・酸無水物などの潜在性硬化剤等を用いることができる。
【００３０】
撮像素子３は、その被写体（光源）側に撮像レンズ群１により結像された被写体の光学像を電気信号に変換する光電変換部（撮像領域）３ａが配されるように撮像素子取付部６１ａに取り付けられている。ここで、撮像素子３は、例えば、ＣＭＯＳ型イメージセンサ、ＣＣＤ型イメージセンサ等からなり、外形が略矩形薄板状に形成されている。
また、撮像素子３よりも被写体側に、当該撮像素子３に塵などが付着するのを防止するための撮像素子カバー部材９が設けられている。
【００３１】
撮像素子カバー部材９は、例えば撮像素子カバー部材取付部６１ｂに所定の接着剤により接着されている。また、撮像素子カバー部材９は、例えば、撮像素子３に対して入射する赤外線等をカットするフィルタとしての機能を具備するようにしても良い。
【００３２】
撮像レンズ群１は、撮像素子カバー部材９よりも被写体側に配設され、被写体の光学像を撮像素子３に結像する所定数（図１にあっては、二枚）の撮像レンズ１ａを有し、これらの撮像レンズ１ａは光軸方向Ｘに並んでレンズ保持部材２に保持されている。
【００３３】
レンズ保持部材２は、例えば、撮像レンズ１ａが保持されるレンズ保持部２ａを挟むように、図１における右端部にレンズ駆動部４のシャフト部４ｄ（後述）に接続されて当該レンズ駆動部４の駆動力が伝達される駆動力伝達部２ｂが設けられ、図１における左端部にガイド軸５に係合されるガイド軸係合部２ｃが設けられている。
【００３４】
ガイド軸係合部２ｃは、例えば、ガイド軸５を光軸方向Ｘに対してほぼ直交する方向に沿って挟むように二股状に形成された部材であり、当該レンズ保持部材２の光軸方向Ｘの移動を案内するとともにレンズ保持部材２の光軸方向Ｘの軸心周りの回動を規制するようになっている。
なお、ガイド軸５は、光軸方向Ｘと略平行に延在するようにガイド軸取付部６１ｄに取り付けられた部材である。
【００３５】
駆動力伝達部２ｂは、筐体本体部６に取り付けられる駆動部挟持部材６３とともにレンズ駆動部４のシャフト部４ｄを光軸方向Ｘにほぼ直交する方向（図１における左右方向）に沿って挟むようになっている。
【００３６】
レンズ駆動部４としては、例えば、ＳＩＤＭ（Smooth Impact Drive Mechanism）等が適用され、このＳＩＤＭは、具体的には、駆動部取付部６１ｃに所定の接着剤により取り付けられるＳＩＤＭ重り部４ａと、ＳＩＤＭ重り部４ａに接続され、通電により光軸方向Ｘに伸縮する圧電素子部４ｂと、圧電素子部４ｂと電気的に接続された圧電素子用接続端子４ｃ（外部接続用端子）と、圧電素子部４ｂに接続された光軸方向Ｘに長尺なシャフト部４ｄとを備えている。
そして、レンズ駆動部４は、図示しない制御部による通電制御に基づいて、圧電素子部４ｂが光軸方向Ｘに伸縮することでシャフト部４ｄに接続された駆動力伝達部２ｂを介してレンズ保持部材２に駆動力が伝達されて、当該レンズ保持部材２を光軸方向Ｘに移動させるようになっている。
【００３７】
第一の筐体カバー部材７１は、レンズ保持部材２の駆動力伝達部２ｂと駆動部挟持部材６３とがレンズ駆動部４のシャフト部４ｄを挟むように配設された後、当該シャフト部４ｄを第一の貫通孔７１ａに挿通させるようにして筐体本体部６に取り付けられる部材である。
【００３８】
第二の筐体カバー部材７２は、レンズ保持部材２がガイド軸係合部２ｃにてガイド軸５を挟むように配設された後、ガイド軸５を第二の貫通孔７２ａに挿通させるようにして筐体本体部６に取り付けられる部材である。
【００３９】
次に、上記撮像装置１００を一例として本発明の撮像装置１００を搭載した電子機器について説明する。
図２に示すように、電子機器は、例えば、折り畳み式の携帯電話機Ｔであり、表示画面Ｄを備えたケースとしての上筐体１０ａと、操作ボタンＰを備えた下筐体１０ｂとがヒンジ部１０ｃを介して連結されている。撮像装置１００は、上筐体１０ａの内表面側（表示画面Ｄを有する側）の表示画面Ｄの下方に内蔵されており、撮像装置１００が上筐体１０ａの外表面から光を取り込めるものとされている。
なお、携帯電話機Ｔのその他の構成要素は、公知であるため、説明を省略する。
【００４０】
また、携帯電話機Ｔは、その内部の所定位置に撮像装置１００の筐体本体部６を着脱自在に保持する筐体保持部１０ｄが設けられている（図３参照）。
以下、図３を参照して筐体保持部１０ｄについて詳細に説明する。
筐体保持部１０ｄは、図３に示すように、内側に付勢され、筐体保持部１０ｄの切欠部６２ａに係合する付勢部材Ｅ１を有する保持機構部１０ｅと、外部接続用端子８と電気的に接続するための撮像装置接続用端子Ｆ１を有する電気的接続部１０ｆを備え、これら保持機構部１０ｅと電気的接続部１０ｆにより全体として凹型に形成されている。
そして、筐体保持部１０ｄ内に撮像装置１００が図３における上側から押し込まれることにより、保持機構部１０ｅの付勢部材Ｅ１が切欠部６２ａに係合されることとなって筐体本体部６が保持されるとともに、電気的接続部１０ｆの撮像装置接続用端子Ｆ１と外部接続用端子８とが電気的に接続されることとなる。
【００４１】
なお、付勢部材Ｅ１の切欠部６２ａに対する付勢が解除されることで、撮像装置１００の筐体保持部１０ｄからの取り外しを行うことができるようになっている。このように、筐体保持部１０ｄは、撮像装置１００の筐体本体部６を着脱自在に保持するようになっている。
【００４２】
以上のように、実施形態１の撮像装置１００によれば、樹脂成形されてなる筐体本体部６に設けられた駆動部取付部６１ｃにレンズ駆動部４としてＳＩＤＭを取り付けることができることとなり、従来のように筐体本体部６に駆動部取付部材を介してＳＩＤＭを取り付ける場合に比べて、筐体本体部６の構造を簡略化することができるとともに撮像装置１００を構成する部品点数を削減することができる。また、外部接続用端子８と筐体本体部６とが一体となって形成されているので、筐体本体部６と外部接続用端子８とを別部材で設ける場合に比べて撮像装置１００の製造工程を簡略化することができる。これにより、撮像装置１００のコストの低下を図ることができる。
また、構成部品点数の減少により耐衝撃性の確保を容易に行うことができることとなり、耐衝撃性を十分に確保する上で部品どうしの組み付け強度の向上を図ることによるコストの上昇を抑制することができる。
さらに、筐体本体部６に設けられた撮像素子取付部６１ａに撮像素子３を取り付けることができることとなり、撮像素子３の取付精度を向上させることができる。また、撮像レンズ１を保持するレンズ保持部材の光軸方向Ｘの移動を案内するガイドとしてのレンズ駆動部４のシャフト部４ｄと撮像素子３との位置決めが正確となって、光軸ずれ、片ボケなどを抑制することができる。
【００４３】
また、上記のように、撮像装置１００の筐体本体部６の構造を簡略化することができることとなって、当該撮像装置１００のコストの低下を図ることができ、結果として、撮像装置１００を搭載する携帯電話機Ｔのコストの低下を図ることができる。
さらに、筐体保持部１０ｄに筐体本体部６を着脱自在に保持させることができることとなって、撮像装置１００の取扱性を向上させることができる。このとき、筐体保持部１０ｄに筐体本体部６を保持させるだけで、撮像装置接続用端子Ｆ１と外部接続用端子８とを電気的に接続することができることとなり、撮像装置１００と携帯電話機本体との電気的接続を容易に行うことができる。特に、筐体本体部６が樹脂成形された一部材であるので、当該筐体本体部６が寸法精度のより良いものとなって、撮像装置１００と携帯電話機本体との電気的接続を確実に行うことができる。
【００４４】
＜変形例１＞
変形例１の撮像装置２００は、図４に示すように、筐体本体部２０６にガイド軸部２０５が一体となって形成されている。
即ち、筐体本体部２０６は、所定の筐体本体部成形用型（図示略）に樹脂が流入されて硬化されることで、撮像素子取付部６１ａと撮像レンズ群１を保持するレンズ保持部材２の光軸方向Ｘの軸心周りの回動を規制する回動規制部としてのガイド軸部２０５を有するように樹脂成形されてなるものである。
【００４５】
従って、変形例１の撮像装置２００によれば、筐体本体部にガイド軸を別体として取り付ける場合に比べて、筐体本体部２０６の構造を簡略化することができるとともに撮像装置２００を構成する部品点数を削減することができる。これにより、撮像装置２００のコストの低下を図ることができる。
また、筐体本体部２０６の撮像素子取付部６１ａに撮像素子３を取り付けることができることとなり、撮像素子３の取付精度を向上させて当該撮像素子３の位置決めが正確となって、光軸ずれを抑制することができる。
【００４６】
＜変形例２＞
変形例２の撮像装置３００は、図５に示すように、撮像レンズ群１を保持するレンズ保持部材２の光軸方向Ｘの位置を検知するフォトインタラプタ（位置検知部材）３１１を備え、このフォトインタラプタ３１１が取り付けられる位置検知部材取付部３６１ｅが筐体本体部３０６に設けられている。
即ち、筐体本体部３０６は、所定の筐体本体部成形用型（図示略）に樹脂が流入されて硬化されることで、撮像素子取付部６１ａとフォトインタラプタ３１１が取り付けられる位置検知部材取付部３６１ｅとを有するように樹脂成形されてなるものである。また、筐体本体部３０６には、フォトインタラプタ３１１や制御部（図示略）等と電気的に接続されるフォトインタラプタ用接続端子（外部接続用端子）３１１ａがインサート成形されている。
【００４７】
また、レンズ保持部材２の所定位置には、フォトインタラプタ３１１によりレンズ保持部材２の光軸方向Ｘの位置を検知するための検知用羽部材２ｄが配設されている。
そして、検知用羽部材２ｄとフォトインタラプタ３１１との相対的な高低差に基づいて当該フォトインタラプタ３１１から制御部に対して出力されるパルス信号がローレベル（Ｌレベル）からハイレベル（Ｈレベル）に切り替えられることにより、制御部にてレンズ保持部材２の光軸方向Ｘの位置が演算されて検出されるようになっている。
【００４８】
従って、変形例２の撮像装置３００によれば、樹脂成形されてなる筐体本体部３０６に設けられた撮像素子取付部６１ａに撮像素子３を精度良く取り付けることができることとなり、当該撮像素子３の撮像レンズ群１に対する位置決めを高精度で容易に行うことができる。また、フォトインタラプタ３１１を位置検知部材取付部３６１ｅに取り付けることにより撮像素子３とフォトインタラプタ３１１との位置関係を高精度なものとすることができる。これにより、フォトインタラプタ３１１を用いて撮像レンズ群１を光軸方向Ｘに適正に位置決めし、かかる状態にて当該撮像レンズ群１により光学像を撮像素子３の撮像領域に適正に結像することができる。
また、筐体本体部３０６の構造を簡略化することができることとなって、撮像装置３００のコストの低下を図ることができる。
【００４９】
なお、変形例２では、筐体本体部３０６の所定位置に位置検知部材取付部３６１ｅを設けるようにしたが、これに限られるものではなく、例えば、フォトインタラプタ３１１を筐体本体部３０６にインサート成形しても良く、これにより、フォトインタラプタ３１１の取付精度をより適正に向上させることができる。
【００５０】
また、変形例２にあっては、位置検知部材としてフォトインタラプタ３１１を例示したが、これに限られるものではなく、例えば、フォトリフレクタ、ホール素子、ＭＲ素子、リーフスイッチ、プッシュスイッチ等を適宜適用しても良い。
【００５１】
なお、上記実施形態１並びに変形例１及び２にあっては、第一の筐体カバー部材７１と第二の筐体カバー部材７２とを別部材で構成するようにしたが、これに限られるものではなく、例えば、これらを所定の一部材で構成するようにしても良い。
【００５２】
［実施形態２］
以下に、実施形態２の撮像装置４００について、図６〜図９を参照して説明する。
ここで、図６は、本発明を適用した実施形態２の撮像装置４００を示す平面図である。また、図７は、図６のＶII−ＶII線における撮像装置４００の断面図であり、図８は、撮像装置４００を矢印ＶIII方向に見て示した図であり、図９は、図６のIＸ−IＸ線における撮像装置４００の断面図である。なお、図６にあっては、筐体本体部カバー部材４１３の図示を省略している。
また、実施形態２の撮像装置４００を構成する各部のうち、上記実施形態１と同様の構成には同一の符号を付してその説明を省略するものとする。
【００５３】
実施形態２の撮像装置４００は、図６〜図９に示すように、レンズ駆動部として形状記憶合金（Shape Memory Alloy；ＳＭＡ）からなるＳＭＡワイヤ４０４を適用したものであり、図示しない制御部による通電制御に基づいてＳＭＡワイヤ４０４が伸縮することによりレンズ保持部材４０２を光軸方向Ｘに移動自在に構成されている。
【００５４】
レンズ保持部材４０２は、レンズ保持部４０２ａを挟むように、図７における右側端部に筐体本体部４０６に一体となって設けられたガイド部４６１ｆに係合するガイド部係合部４０２ｂが設けられ、図７における左側端部に筐体本体部４０６に取り付けられたガイド軸４０５が挿通された筒状部４０２ｃが設けられている（図７参照）。
筒状部４０２ｃは、例えば、平面視略矩形状をなす筐体本体部４０６の一端部に位置するように配設され（図６参照）、圧縮バネ等の付勢部材４１２により光軸方向Ｘに沿って被写体と反対側に付勢されている（図７参照）。また、筒状部４０２ｃには、その外面から光軸方向Ｘとほぼ直交する方向に突出された凸部ｃ１が設けられ、この凸部ｃ１にＳＭＡワイヤ４０４の略中央部が被写体と反対側（図８の下側）から巻き掛けられている（図８及び図９参照）。
【００５５】
筐体本体部４０６は、その筒状部４０２ｃが設けられた端部と異なる端部であって、レンズ保持部４０２ａを挟むように対向して配設された二つの端部の各々にＳＭＡワイヤ４０４の両端部が取り付けられるワイヤ取付部（駆動部取付部）４６１ｃが設けられ（図６及び図９参照）、当該ワイヤ取付部４６１ｃまで筒状部４０２ｃの凸部ｃ１に巻き掛けられたＳＭＡワイヤ４０４を角度を変えて案内するワイヤ案内部４６１ｇが設けられている（図９参照）。
また、筐体本体部４０６には、ワイヤ取付部４６１ｃ及びワイヤ案内部４６１ｇ並びにレンズ保持部材４０２等を被写体側から被覆するように筐体本体部カバー部材４１３が取り付けられている（図７及び図９参照）。
【００５６】
ＳＭＡワイヤ４０４は、その端部が外部接続用端子４０８と電気的に接続されており（図９参照）、制御部（図示略）による通電制御に基づいて当該ＳＭＡワイヤ４０４が発熱することで、その全長を短縮する方向に変化（収縮）する。これにより、レンズ保持部材４０２は、付勢部材４１２に抗してガイド軸４０５及びガイド部４６１ｆに案内されながら光軸方向Ｘに沿って被写体側に移動し、撮像レンズ群１の焦点をより近距離に合わせることができるようになる。
一方、ＳＭＡワイヤ４０４の温度低下に基づいて、当該ＳＭＡワイヤ４０４は伸張することとなり、これによって、レンズ保持部材４０２は、付勢部材４１２に付勢されながら光軸方向Ｘに沿って被写体と反対側に移動することとなる。
【００５７】
以上のように、実施形態２の撮像装置４００によれば、樹脂成形されてなる筐体本体部４０６に設けられたワイヤ取付部４６１ｃにＳＭＡワイヤ４０４を取り付けることができることとなり、筐体本体部４０６の構造を簡略化することができるとともに撮像装置４００を構成する部品点数を削減することができる。これにより、撮像装置４００のコストの低下を図ることができる。
【００５８】
なお、上記実施形態２にあっては、筐体本体部４０６若しくは筐体本体部カバー部材４１３に切欠部を設け、切欠部が携帯電話機等の所定の電子機器に備わる筐体保持部に係合されることで当該撮像装置４００が着脱自在に保持されるように構成しても良い。
ここで、筐体保持部は、筐体本体部４０６の外面の一部に係合して当該筐体本体部４０６を着脱自在に保持することができれば如何なる構成のものであっても良く、例えば、筐体本体部の外面から突出された突出部に係合するように凹型に形成された付勢部材を備えるようにしても良い。
【００５９】
［実施形態３］
以下に、実施形態３の撮像装置５００について、図１０〜図１２を参照して説明する。
ここで、図１０及び図１２は、本発明を適用した実施形態３の撮像装置５００を示す断面図である。また、図１１は、撮像装置５００に備わる撮像素子パッケージ５１４を示す平面図である。なお、図１１にあっては、撮像素子パッケージ５１４のカム部１４２ｂに当接される第三レンズ５０１ｃのレンズ脚部５０１ｇを破線で模式的に示すものとする。
また、実施形態３の撮像装置５００を構成する各部のうち、上記実施形態１及び実施形態２と同様の構成には同一の符号を付してその説明を省略するものとする。
【００６０】
実施形態３の撮像装置５００は、回動部材５１６の操作に基づいて撮像レンズ群５０１を光軸方向Ｘに変位自在に構成され、具体的には、図１０〜図１２に示すように、撮像レンズ群５０１と、撮像レンズ群５０１により結像された光学像を電気信号に変換する撮像素子３と、撮像素子３が取り付けられるとともに撮像レンズ群５０１を支持する撮像素子パッケージ５１４と、撮像素子パッケージ５１４よりも被写体側に設けられ、撮像レンズ群５０１を内包する外枠部材５１５と、外枠部材５１５の外周面に回動自在に取り付けられた回動部材５１６と、外枠部材５１５に被写体側から取り付けられた蓋部材５１７とを備えている。
【００６１】
撮像レンズ群５０１は、被写体（光源）側から順に配設された第一レンズ５０１ａ、第二レンズ５０１ｂ及び第三レンズ５０１ｃ（撮像レンズ）を備え、第一レンズ５０１ａと第二レンズ５０１ｂとの間及び第二レンズ５０１ｂと第三レンズ５０１ｃとの間には、例えば、光量を調節するための絞り板５０１ｄ、５０１ｅがそれぞれ配設されている。これら第一レンズ５０１ａ、第二レンズ５０１ｂ及び第三レンズ５０１ｃ並びに絞り板５０１ｄ、５０１ｅは、固着されて一体となって構成されている。
【００６２】
第三レンズ５０１ｃは、その外面部に回動部材５１６の係合部５１６ａが係合される被係合部５０１ｆが設けられ、この被係合部５０１ｆに係合部５１６ａが係合した状態で回動部材５１６が光軸方向Ｘの軸心周りに回動することで、係合部５１６ａ及び被係合部５０１ｆを介して駆動力が伝達されて撮像レンズ群５０１を光軸方向Ｘの軸心周りに回動させるようになっている。
また、第三レンズ５０１ｃの下端部には、撮像素子パッケージ５１４のレンズ支持部１４２ａに当接するレンズ脚部（当接部）５０１ｇが略１２０°間隔を空けて３つ設けられている。
また、第三レンズ５０１ｃの被写体側の面には、例えば、圧縮コイルバネ等の付勢部材５１２が当接されており、この付勢部材５１２により撮像レンズ群５０１（第三レンズ５０１ｃ）は撮像素子３側（被写体と反対側）に常時付勢された状態となっている。
【００６３】
撮像素子パッケージ５１４は、例えば、撮像素子パッケージ成形用型（図示略）に所定の樹脂が流入されて硬化されることにより成形されるものであり、具体的には、底面部１４１と、この底面部１４１の端部から当該底面部１４１に対して略垂直に起立して形成された起立面部１４２とが一体となって形成されている。
【００６４】
底面部１４１の表面（被写体側の面）の略中央部に、撮像素子３が取り付けられる撮像素子取付部１４１ａが設けられている。
また、底面部１４１の被写体と反対側（下側）には、撮像装置１００が携帯電話機Ｔ等の電子機器の機器本体に取り付けられる際に基準となる取付基準面部１４１ｂが設けられている。取付基準面部１４１ｂは、具体的には、例えば、光軸方向Ｘにほぼ直交する方向に延在するように略平面状に形成されている。
【００６５】
起立面部１４２は、その略上端部に第三レンズ５０１ｃを支持するレンズ支持部１４２ａが設けられ、このレンズ支持部１４２ａの内側に撮像素子カバー部材９が取り付けられ、また、レンズ支持部１４２ａの外側部にて外枠部材５１５がその下端部を当接させて支持されている。
【００６６】
レンズ支持部１４２ａには、撮像レンズ群５０１を撮像素子３に対して光軸方向Ｘに変位させるためのカム部１４２ｂが設けられている。このカム部１４２ｂには、例えば、光軸方向Ｘにほぼ直交する方向に延在する水平面を有し、撮像レンズ群５０１が通常状態にて光軸方向Ｘに位置決めされる通常時カム面ｂ１と、この通常時カム面ｂ１よりも高さが高い水平面を有し、撮像レンズ群５０１がマクロ状態（図１２参照）にて光軸方向Ｘに位置決めされるマクロ時カム面ｂ２と、通常時カム面ｂ１とマクロ時カム面ｂ２とを連続的に繋ぐ傾斜面ｂ３とが略１２０°間隔を空けて形成されている（図１１参照）。これにより、カム部１４２ｂは、撮像レンズ群５０１を三点で支持するようになっている。
そして、回動部材５１６の所定操作に基づいて撮像レンズ群５０１が光軸方向Ｘの軸心周りに回動することにより、第三レンズ５０１ｃのレンズ脚部５０１ｇがカム部１４２ｂの表面を摺動しながら当該表面に沿って移動することとなり、これによって、撮像レンズ群５０１が撮像素子３に対して光軸方向Ｘに変位するようになっている。
【００６７】
また、図示は省略するが、撮像素子パッケージ５１４は、例えば、撮像素子３とワイヤ等の接続線（図示略）を介して電気的に接続されるリードフレーム（図示略）等がインサート成形されて一体に形成されても良い。
【００６８】
外枠部材５１５の外周面には、当該外枠部材５１５の内側に配設された撮像レンズ群５０１の第三レンズ５０１ｃの被係合部５０１ｆに係合部５１６ａが係合されるようにして回動部材５１６が取り付けられている。
また、外枠部材５１５の上端部には、蓋部材５１７が取り付けられ、この蓋部材５１７の略中央部には、撮像レンズ群５０１よりも被写体側に位置するように透光性部材５１７ａが配設されている。
【００６９】
以上のように、実施形態３の撮像装置５００によれば、撮像レンズ群５０１を撮像素子３に対して光軸方向Ｘに変位させる構成の撮像装置５００において、樹脂成形されてなる撮像素子パッケージ５１４のレンズ支持部１４２ａにて撮像レンズ群５０１を支持することができることとなって、従来のように撮像レンズ群５０１をレンズ台を用いて支持する場合に比べて撮像装置５００を構成する部品点数を削減することができ、撮像素子３に対する撮像レンズ群５０１の位置決めを精度良く行うことができる。また、構成部品点数の減少により撮像装置５００の構造を簡略化することができ、当該撮像装置５００のコストの低下並びに製造工程の簡略化を図ることができる。
さらに、従来のように、撮像素子３の表面のうち、光電変換部３ａ以外の領域にレンズ台脚部を当接させるスペースを設ける必要がなくなり、当該撮像素子３の小型化を図ることができるとともに撮像素子３の表面が傷付くことを防止することができる。
【００７０】
また、撮像素子パッケージ５１４の底面部１４１の裏面には、撮像装置５００の電子機器本体に対する取り付けの際に基準となる取付基準面部１４１ｂが設けられているので、この取付基準面部１４１ｂを基準とすることにより撮像装置５００を電子機器本体に対して精度良く簡便に取り付けることができる
【００７１】
なお、本発明は、上記実施形態に限定されることなく、本発明の趣旨を逸脱しない範囲において、種々の改良並びに設計の変更を行っても良い。
例えば、上記実施形態１〜３にあっては、撮像素子取付部６１ａ、１４１ａに接着剤貯留部（凹部）ａ１を設けるようにしたが、これに限られるものではなく、接着剤貯留部ａ１を設けるか否かは適宜変更することができる。
【００７２】
また、上記実施形態１又は実施形態２にあっては撮像レンズ１ａを２枚配設し、実施形態３にあっては撮像レンズを３枚配設するようにしたが、撮像レンズ１ａの配設枚数は上記例示したものに限られるものではなく、適宜変更することができる。
【００７３】
さらに、上記実施の形態では、電子機器として携帯電話機Ｔを例示したが、これに限られるものではなく、撮像装置１００、２００、３００、４００、５００を内蔵可能な電子機器であれば如何なるものであっても良いのは、勿論である。
【図面の簡単な説明】
【００７４】
【図１】本発明を適用した実施形態１の撮像装置を示す断面図である。
【図２】本発明に係る撮像装置を搭載した携帯電話機の一例を示す正面図及び背面図である。
【図３】図１の撮像装置が装置取付部に取り付けられた状態を示す断面図である。
【図４】変形例１の撮像装置を示す断面図である。
【図５】変形例２の撮像装置を示す断面図である。
【図６】本発明を適用した実施形態２の撮像装置を示す平面図である。
【図７】図６のＶII−ＶII線における撮像装置の断面図である。
【図８】図６の撮像装置を矢印ＶIII方向に見て示した図である。
【図９】図６のIＸ−IＸ線における撮像装置の断面図である。
【図１０】本発明を適用した実施形態３の撮像装置を示す断面図である。
【図１１】図１０の撮像装置に備わる撮像素子パッケージを示す平面図である。
【図１２】図１０の撮像装置を示す断面図である。
【図１３】従来の撮像装置を示す断面図である。
【符号の説明】
【００７５】
１００、２００、３００、４００、５００  撮像装置
１ａ      撮像レンズ
３        撮像素子
４、４０４  レンズ駆動部
４ｃ      圧電素子用接続端子（外部接続用端子）
６、２０６、３０６、４０６  筐体本体部（筐体）
ａ１      凹部（接着剤貯留部）
６１ａ    撮像素子取付部
６１ｃ、４６１ｃ  駆動部取付部
６２ａ    切欠部（一部）
８        外部接続用端子
２０５    ガイド軸部（回動規制部）
３１１    フォトインタラプタ
３１１ａ  フォトインタラプタ用接続端子（外部接続用端子）
３６１ｅ  位置検知部材取付部
Ｔ        携帯電話機（電子機器）
１０ｄ    筐体保持部
Ｆ１      撮像装置接続用端子
【図１】
2006303955.tif 000003
【図２】
2006303955.tif 000004
【図３】
2006303955.tif 000005
【図４】
2006303955.tif 000006
【図５】
2006303955.tif 000007
【図６】
2006303955.tif 000008
【図７】
2006303955.tif 000009
【図８】
2006303955.tif 000010
【図９】
2006303955.tif 000011
【図１０】
2006303955.tif 000012
【図１１】
2006303955.tif 000013
【図１２】
2006303955.tif 000014
【図１３】
2006303955.tif 000015